(57)【要約】    【課題】  起泡性を損なうことなく、泡質がクリーミーで、しかもひび割れやふやけ、溶け崩れを生じにくい固形石鹸を提供する。    【解決手段】  ポリビニルピロリドンが配合されてなる固形石鹸、さらに透明化剤を含む固形石鹸。    【選択図】  なし【特許請求の範囲】
【請求項１】
ポリビニルピロリドンが配合されてなることを特徴とする固形石鹸。
【請求項２】
さらに、透明化剤を含むことを特徴とする請求項１に記載の固形石鹸。
【発明の詳細な説明】
【技術分野】
【０００１】
本発明は、浴用や洗顔用等の皮膚洗浄料として広く使用されている固形石鹸に関する。
【背景技術】
【０００２】
従来より、固形石鹸は、浴用や洗顔用等の一般的な皮膚洗浄料として、安価であることと、そのさっぱりした使用感が好まれ広く使用されている。
【０００３】
固形石鹸は高級脂肪酸のアルカリ塩を石鹸基剤とするもので、脂肪酸原料としては、主に牛脂、パーム油、ヤシ油およびパーム核油由来の脂肪酸が使用されているが、石鹸の洗浄力や肌に対する刺激性、起泡性、保型性などを向上するため、原料の脂肪酸組成の組み合わせや混合比率をその目的に応じて適宜調整し使用されている。
【０００４】
皮膚洗浄料としての固形石鹸は、肌に対する刺激が少ないことは勿論であるが、これに加えて速泡性と起泡性に優れ、泡質がクリーミーであることが求められている。速泡性や起泡性を改善するには低炭素数の脂肪酸を多く含む脂肪酸原料を用いることが知られているが、単に原料脂肪酸を低分子化したものは泡質が不十分なものとなり、特に低炭素数脂肪酸アルカリ金属塩の石鹸は皮膚への刺激性が強く、洗浄後につっぱり感を生じるなどの欠点を有するものとなる。
【０００５】
また、保存中に石鹸がひび割れたり、あるいは浴室などの高温多湿下で表面がふやけたり、溶け崩れたりするなどの問題もあった。
【０００６】
これに対して、皮膚に対する刺激が少なく、起泡性と速泡性、泡の持続性に優れ、泡質がクリーミーで、ひびや溶け崩れしにくい固形石鹸として、アルキルベタインと、ベントナイトと特定組成のアルカリ金属塩を含有させることが提案されている（特許文献１）。さらに、アニオン性界面活性剤などを併用した複合石鹸や、高級脂肪酸塩を使用しない弱酸性石鹸なども利用されている（非特許文献１）。また、近年では、内部に気泡を含む固形石鹸であって、気泡の周囲に前記非イオン界面活性剤を含む層が形成され、石鹸表面に疎水性が付与された固形石鹸が提案されている（特許文献２）。
【特許文献１】特開２００５−８２６８５号公報
【特許文献２】特開２００２−１２８９９号公報
【非特許文献１】表面、Ｖｏｌ．４０，Ｎｏ．１，Ｐ２６〜３４（２００２）
【発明の開示】
【発明が解決しようとする課題】
【０００７】
しかしながら、上記従来技術による固形石鹸は、特許文献１によるアルキルベタインと、ベントナイトと特定組成のアルカリ金属塩を含有させる固形石鹸においては、脂肪酸組成が限定されることから汎用性に乏しく、非特許文献１記載の複合石鹸や弱酸性石鹸などは通常の固形石鹸よりも溶け崩れしやすく使い勝手が悪く不経済であるという問題があり、また、特許文献２に記載の石鹸内部に気泡を含む固形石鹸は、起泡工程を含むなど製造方法が複雑かつ特殊であることや、透明石鹸には応用できないなどの問題があった。
【０００８】
本発明は、上記問題点に鑑み、起泡性を損なうことなく、泡質がクリーミーで、しかもひび割れやふやけ、溶け崩れを生じにくい皮膚洗浄料として好適な固形石鹸を提供することを目的とするものである。
【課題を解決するための手段】
【０００９】
本発明は、このような従来の問題点に着目し鋭意研究を重ねた結果見出したものであり、すなわち、ポリビニルピロリドンが配合されてなる固形石鹸にある。
【００１０】
さらには、透明化剤を含む固形石鹸である。
【発明の効果】
【００１１】
本発明によると、起泡性を損なうことなく、泡質がクリーミーで、しかもひび割れやふやけ、溶け崩れを生じにくい汎用性に富む皮膚洗浄料に好適な固形石鹸を得ることができる。また、透明化剤を含むことで透明性に優れた高級感を併せ持つ透明固形石鹸を得ることができる。
【発明を実施するための最良の形態】
【００１２】
本発明に用いられるポリビニルピロリドン（ＰＶＰ）は、ビニルピロリドン（ＶＰ、通常はＮ−ビニル−２−ピロリドン）の重合体であり、通常はＶＰの単独重合体であるが、ＶＰと他の単量体との共重合体でもよい。共重合体の場合は、ＶＰを３０重量％以上含有することが好ましい。
【００１３】
他の単量体としては、例えば、アクリル酸、メタクリル酸、アクリル酸のアルキルエステル（メチルアクリレート、エチルアクリレートなど）、メタクリル酸のアルキルエステル（メチルメタクリレート、エチルメタクリレートなど）、アクリル酸のアミノアルキルエステル（ジエチルアミノエチルアクリレートなど）、メタクリル酸のアミノアルキルエステル、アクリル酸とグリコールとのモノエステル、メタクリル酸とグリコールとのモノエステル（ヒドロキシエチルメタクリレートなど）、アクリル酸のアルカリ金属塩、メタクリル酸のアルカリ金属塩、アクリル酸のアンモニウム塩、メタクリル酸のアンモニウム塩、アクリル酸のアミノアルキルエステルの第４級アンモニウム誘導体、メタクリル酸のアミノアルキルエステルの第４級アンモニウム誘導体、ジエチルアミノエチルアクリレートとメチルサルフェートとの第４級アンモニウム化合物、ビニルメチルエーテル、ビニルエチルエーテル、ビニルスルホン酸のアルカリ金属塩、ビニルスルホン酸のアンモニウム塩、スチレンスルホン酸、スチレンスルホン酸塩、アリルスルホン酸、アリルスルホン酸塩、メタリルスルホン酸、メタリルスルホン酸塩、酢酸ビニル、ビニルステアレート、Ｎ−ビニルイミダゾール、Ｎ−ビニルアセトアミド、Ｎ−ビニルホルムアミド、Ｎ−ビニルカプロラクタム、Ｎ−ビニルカルバゾール、アクリルアミド、メタクリルアミド、Ｎ−アルキルアクリルアミド、Ｎ−メチロールアクリルアミド、Ｎ，Ｎ−メチレンビスアクリルアミド、グリコールジアクリレート、グリコールジメタクリレート、ジビニルベンゼン、グリコールジアリルエーテルなどが挙げられ、これらの２種類以上との共重合体であっても良い。
【００１４】
本発明の固形石鹸に配合されるＰＶＰの分子量（Ｍｗ）は、特に限定されるものではないが、分子量が１，０００〜１５０万のものが好ましく、より好ましくは２万〜１２０万のものが望ましく用いられる。分子量が１，０００未満であると上記の泡質（クリーミー性）の向上、表面のひび割れや溶け崩れ等を抑制するための効果を発現させるためにＰＶＰの配合量を多くする必要があり経済的に不利となる。また、分子量が１５０万を超えて高くなると、溶解に時間を要したり、不溶解物が析出するおそれがあり、皮膚洗浄料として不向きとなる場合がある。
【００１５】
ＰＶＰの配合量は特に限定されないが、固形石鹸中に好ましくは０．１〜２０重量％、より好ましくは０．５〜５重量％配合することが望ましい。０．１重量％未満では上記発明の効果が少なく、２０重量％を超えて添加しても効果に変化がなく、石鹸成分の減量等を検討する必要があり好ましくない。
【００１６】
本発明において、固形石鹸の透明化のために配合される透明化剤としては、従来より公知の透明化剤を使用することができ、例えばグリセリン、１，３−ブタンジオール、プロピレングリコール、ソルビトール、ショ糖などの糖類が挙げられる。
【００１７】
透明化剤の配合量は、固形石鹸中に５〜４０重量％が添加される。５重量％未満では石鹸の透明性に欠け、４０重量％を超えても透明性の向上はそれ以上得られず、また洗浄性能が低下するおそれがある。
【００１８】
本発明の固形石鹸の基剤としては、一般的に固形石鹸基剤として公知のものが使用でき、牛脂、パーム油、ヤシ油、パーム核油などの動物、植物油脂由来の高級脂肪酸、またはこれらの脂肪酸エステル類をカセイソーダ等によってケン化して得られた脂肪酸アルカリ金属塩（脂肪酸石鹸）、またアシルグルタミン酸塩などの合成界面活性剤のいずれでもかまわない。これらを単独、あるいは併用して基剤とすることができる。
【００１９】
石鹸基剤の含有量は、全組成中の２０〜８０重量％程度であり、２０重量％未満では起泡性が不足し、軟弱となって保型性や保存安定性に欠け、８０重量％を超えるとつっぱり感を感じるなどの使用性が低下する。
【００２０】
なお、透明固形石鹸の場合の基剤としては、脂肪酸塩の原料油脂として植物性由来のものが透明性に優れ石鹸内部に結晶が析出することなく、さらに香気の点からも好適であり、透明性を向上する観点から組成中の含有量は５０重量％未満であることが好ましい。
【００２１】
本発明の固形石鹸には、上記成分に加えて固形石鹸に通常用いられる成分を本発明の効果を損なわない範囲において任意に併用することができる。例えば、エタノール、イソプロパノール、ブタノール等のアルコール類、プロピレングリコール、ソルビトール、グリセリン、ショ糖等のポリオール類、アニオン、両性、ノニオン等の界面活性剤、スクワラン、スクワレン、流動パラフィン、ラノリン誘導体、脂肪酸、高級アルコール等の過脂肪剤、タルク、マイカ、セリサイト、炭等の体質顔料、アロエエキス、チャエキス、カミツレエキス等の植物抽出エキス類、保湿剤、パール化剤、香料、着色料、紫外線吸収剤、酸化防止剤、殺菌剤、抗炎症剤などを配合することができる。
【実施例】
【００２２】
表１に記載の配合処方（重量％）に従い実施例、比較例の各固形石鹸を常法により調製した。得られた固形石鹸の泡質（クリーミー性）、溶け崩れ、ひび割れ、透明度を下記方法により評価し、結果を表１に示す。なお、使用した配合成分は下記の通りである。
【００２３】
［配合成分］ 
・ヤシ油脂肪酸：ヤシ脂肪酸ＤＣ（新日本理化製）
・水酸化ナトリウム：試薬特級（和光純薬製）
・グリセリン：試薬一級（ナカライテスク製）
・ショ糖：試薬一級（ナカライテスク製）
・ＰＶＰ（Ｍｗ５０００）：クリージャス  Ｋ−１７（第一工業製薬製）
・ＰＶＰ（Ｍｗ５００００）：クリージャス  Ｋ−３０（第一工業製薬製）
・ＰＶＰ（Ｍｗ１０００００）：クリージャス  Ｋ−９０（第一工業製薬製）
【００２４】
［泡質（クリーミー性）］
固形石鹸を用いて手洗いした時の泡のクリーミー性についてパネル１０名により官能評価し、下記の基準で判定した結果を１０名の平均値で示した。 
２点：泡がクリーミーであると感じた。 
１点：泡がやや粗いと感じた。 
０点：泡が粗いと感じた。
【００２５】
［溶け崩れ］
固形石鹸を湯温９０〜９５℃に保持した蒸し器中に入れて２時間蒸したあと、５分間室温下で放冷し、形状の変化を観察して、下記の基準で評価した。 
◎：石鹸の表面も十分硬く、形状に変化がない。 
Ｏ：石鹸の表面のみ柔らかく、形状に変化がない。 
△：石鹸の内部まで柔らかくなり、やや溶け崩れしている。 
×：石鹸の内部まで柔らかくなり、完全に溶け崩れている。
【００２６】
［ひび割れ（亀裂試験）］
５±１℃に保持した恒温槽中に設置した水槽中に固形石鹸を２時間浸漬し、次いでこれを引き上げて、同恒温槽中で２４時間静置したあと、亀裂発生の有無および発生の状況を観察して、下記の基準で評価した。 
◎：石鹸表面に亀裂が認められないもの。 
Ｏ：石鹸表面に極細い亀裂が認められるが、その数が少ないもの。 
△：石鹸表面に極細い亀裂がたくさん認められるもの。 
×：石鹸表面に深い亀裂が認められるもの。
【００２７】
［透明度］
パネル１０名が目視観察で判断し、５名以上に透明性があると判断された場合には「透明」とし、４名以下の場合は「白色」として示した。
【００２８】
【表１】
2007070414.tif 000002
【産業上の利用可能性】
【００２９】
本発明の固形石鹸は浴用、洗顔用等の皮膚用洗浄料として好適に使用することができ、また高級感を備えた透明固形石鹸としても有用である。